(57)【要約】  【課題】  外観がいつまでも美麗な状態を維持する印鑑基材に朱肉不要なスタンプタイプの印鑑部を取り付けた印鑑であって、印鑑基材と印鑑部との取付け構造を簡略化した印鑑を提供する。  【解決手段】  本印鑑は、表面に印面１ａを設けた印鑑部１がホルダー１０によって印鑑基材２０に取り付けられている。前記印鑑部１には、インキが浸透されている。前記印鑑基材２０は、透明な筒体２２ａ内に透明な合成樹脂２２ｂからなる芯材２２ｄが注入され、該筒体２２ａと芯材２２ｄとの間に所定の絵柄を有する筒状のシート２２ｃ体が介挿入された本体部２２の一端側に結合部２１が設けられている。前記ホルダー１０は、前記印面１ａが先端面からわずかに突出するように前記印鑑部１を保持し、かつ、前記印鑑基材２０の結合部２１に取り付けられる。【選択図】  図１
2006181845.tif 000002
【特許請求の範囲】
【請求項１】
表面に印面を設けた印鑑部がホルダーによって印鑑基材に取り付けられている印鑑であって、
前記印鑑部は、インキが浸透されたものであり、
前記印鑑基材は、透明な筒体内に透明な合成樹脂からなる芯材が注入され、該筒体と芯材との間に所定の絵柄を有する筒状のシート体が介挿入された本体部の一端側に結合部が設けられたものであり、
前記ホルダーは、前記印面が先端面からわずかに突出するように前記印鑑部を保持し、かつ、前記印鑑基材の結合部に取り付けられるものであることを特徴とする印鑑。
【請求項２】
前記ホルダーは、前記印鑑部を保持する台座部と、先端側が該台座部を装着し、基端側が前記印鑑基材の結合部に取り付けられるカップリング部材とを備えたものであることを特徴とする請求項１に記載の印鑑。
【請求項３】
前記カップリング部材は、基端側に雄ネジを形成した軸状部と、該軸状部の雄ネジと螺合する雌ネジを形成した多角筒状部とを備え、
前記印鑑基材の結合部は、内面が前記多角筒状部を嵌入する多角形の環状に形成されていることを特徴とする請求項２に記載の印鑑。
【請求項４】
前記ホルダーは、先端側が基端側よりもわずかに縮径したテーパ部が形成されたカップリング部材と、該テーパ部を外嵌し、かつ、前記台座部を係止する内向きフランジを先端縁に形成した筒状のカバーとを備えていることを特徴とする請求項２または３に記載の印鑑。
【発明の詳細な説明】
【技術分野】
【０００１】
本発明は、インキが浸透している印鑑部を、絵柄が施された印鑑基材に取り付けた印鑑に関し、詳しくは、印鑑基材に施された絵柄がいつまでも美麗な状態を維持するようにした印鑑に関する。
【背景技術】
【０００２】
従来の印鑑は、一般的に硬い木材あるいは動物の角や骨等のように緻密な材料からなる天然物を原料とした柱状の印鑑基材の端面に印影を彫刻することによって製作されていた。しかしながら、環境保全の観点やコスト高である点等から、かかる天然物を原料とせずに合成樹脂で製作された印鑑基材も提供されている。
【０００３】
合成樹脂製の印鑑基材は、色違いの二種類の合成樹脂を緩やかに混ぜ合わせながら金型に注入することにより縞模様を施したり、透明な溶融樹脂に微細な金属片を混入することによって金属片を散りばめた模様を施したりして装飾されている。しかしながら、このような装飾は、絵柄としては極めて単純であり、どれも同じような状態になることから、オリジナリティを主張し得る興趣に富んだものにはならない。
【０００４】
そこで、印鑑基材の外周面に絵柄を彫刻したり、各種の絵柄を手書きしたりすることがしばしば行われる。こうすることによって一律的であった印鑑基材の外周面がオリジナリティを発揮し得るものになる。しかしながら、印鑑基材の外周面に一々絵柄を彫刻したり手書きすることは非常に面倒であって生産性が劣るため、絵柄入りの印鑑基材は高価なものとなり、広く普及させることができないという問題点を有している。また、印鑑基材の外周面に手書きされた絵柄は、使用する度に手によって擦られることになるため、剥がれ落ち易いという問題点もある。そして、一旦絵柄が部分的に剥がれ落ちると、絵柄のない印鑑よりもかえって見苦しくなってしまう。
【０００５】
そこで、本出願人は、絵柄付与の容易性を確保した上で一旦付与された絵柄が容易に消えない印鑑基材を備えた印鑑およびその製造方法並びに印鑑ケース等の装飾具およびその製造方法並びに印鑑基材を特許文献１に開示している。
【０００６】
この特許文献１には、朱肉が不要なスタンプタイプの印鑑も開示されている。このスタンプタイプの印鑑は、印鑑基材の一端部にインキを浸透させた浸透印を備えた印鑑部を装着したことを特徴としている。印鑑基材は、有底状の透明な筒体と、この筒体内に注入される合成樹脂と、筒体と合成樹脂との間に介挿入される絵柄付きシート体を備え、さらに筒体の底面に環状の結合部が突設されている。そして、印鑑部は、筒状のホルダー内に収納され、このホルダーの基端部が前記結合部に連結されている。
【０００７】
前記ホルダーは、外筒部と内筒部と管体とを備えている。内筒部の先端部に印鑑部が固定されている。印鑑部は、その端面に設けられた印面が外筒部の先端面よりもわずかに突出するように管体内に挿入されている。管体は、外筒部と内筒部との間に配置され、先端縁が圧縮バネによって印鑑部の印面よりもわずかに突出している。そして、押印するときは、圧縮バネが圧縮され、管体の先端縁が印鑑部の印面と同一面になるまで管体が退入する。
【０００８】
【特許文献１】特開２００４−３０６５８１号公報
【発明の開示】
【発明が解決しようとする課題】
【０００９】
従来のスタンプタイプの印鑑は、管体が圧縮バネによって外筒部と内筒部との間から飛び出さないように、管体に内向き鍔部が成形され、また外筒部や内筒部にも鍔部や突条などが形成されており、これらの部品を組み付ける作業が面倒であるだけでなく、部品点数が多くなることから製造コストも上昇する。
【００１０】
そこで、本発明は、外観がいつまでも美麗な状態を維持する印鑑基材に朱肉不要なスタンプタイプの印鑑部を取り付けた印鑑であって、印鑑基材と印鑑部との取付け構造を簡略化した印鑑を提供することを課題とする。
【課題を解決するための手段】
【００１１】
本発明に係る印鑑は、表面に印面を設けた印鑑部がホルダーによって印鑑基材に取り付けられている印鑑であって、前記印鑑部は、インキが浸透されたものであり、前記印鑑基材は、透明な筒体内に透明な合成樹脂からなる芯材が注入され、該筒体と芯材との間に所定の絵柄を有する筒状のシート体が介挿入された本体部の一端側に結合部が設けられたものであり、前記ホルダーは、前記印面が先端面からわずかに突出するように前記印鑑部を保持し、かつ、前記印鑑基材の結合部に取り付けられるものであることを特徴としている。
【００１２】
この印鑑によれば、印鑑基材の本体部が透明な筒体内に透明な合成樹脂からなる芯材が注入され、この筒体と芯材との間に絵柄を有する筒状のシート体が介挿入されたものであることから、度重なる使用で印鑑基材の本体部の表面が擦れても、絵柄が剥がれ落ちることなく、いつまでも美麗な状態を維持することができる。このような印鑑基材の本体部の一端側に結合部が設けられ、この結合部にホルダーによって印鑑部が取り付けられる。ホルダーは、印鑑部の印面が先端面からわずかに突出するように印鑑部を保持するものであるから、この印鑑は、圧縮バネなどを有していない簡略化した機構によって構成することができる。
【００１３】
また、本発明に係る前記印鑑において、前記ホルダーは、前記印鑑部を保持する台座部と、先端側が該台座部を装着し、基端側が前記印鑑基材の結合部に取り付けられるカップリング部材とを備えたものであることが好ましい。
【００１４】
この印鑑によれば、台座部が印鑑部を保持することにより、印面が台座部の先端面からわずかに突出するように保持することが容易であり、また、カップリング部材によってホルダーを印鑑基材の結合部に取り付けることが容易になる。
【００１５】
また、本発明に係る前記印鑑において、前記カップリング部材は、基端側に雄ネジを形成した軸状部と、該軸状部の雄ネジと螺合する雌ネジを形成した多角筒状部とを備え、前記印鑑基材の結合部は、内面が前記多角筒状部を嵌入する多角形の環状に形成されていることが好ましい。
【００１６】
この印鑑によれば、カップリング部材に備えられた多角筒状部と、印鑑基材に設けられた多角形の環状の結合部とが連結されることにより、印面に彫刻された文字の向きと印鑑基材に施された絵柄の向きとを一致させることができる。
【００１７】
また、本発明に係る前記印鑑において、前記ホルダーは、先端側が基端側よりもわずかに縮径したテーパ部が形成されたカップリング部材と、該テーパ部を外嵌し、かつ、前記台座部を係止する内向きフランジを先端縁に形成した筒状のカバーとを備えていることが好ましい。
【００１８】
この印鑑によれば、カバーがカップリング部材のテーパ部を外嵌することにより、カバーとカップリング部材とが外れないように一体化することができる。そして、カバーの先端縁に形成された内向きフランジが台座部を係止することにより、台座部および印鑑部がカップリング部材に固定される。
【発明の効果】
【００１９】
本発明に係る印鑑は、インキを浸透させた印鑑部がホルダーによって印鑑基材に取り付けられることにより、この印鑑部を印鑑基材に取り付ける構成を簡略化することができる。したがって、本発明によれば、印鑑を組み付ける作業が容易となることから、インキを浸透させた印鑑部を備えた印鑑のコストダウンを図ることができる。しかも、印鑑部はインキが浸透したスタンプタイプであるため、別途朱肉が不要であり、利便性のよい印鑑が提供される。さらに、印鑑基材は、絵柄を有する筒状のシートが筒体と芯材との間に介挿入されたものであるため、印鑑をオリジナリティに富んだものにすることができるだけでなく、絵柄が剥がれ落ちることがなく、いつまでも美麗な状態で印鑑を使用することができる。
【発明を実施するための最良の形態】
【００２０】
本発明に係る印鑑の一実施形態について図１および図２を参照しながら説明する。この印鑑は、印鑑部１をホルダー１０によって印鑑基材２０に取り付けたのものであり、印鑑部１はインキが浸透しているスタンプタイプであり、表面に氏などの印影を彫刻した印面１ａが設けられている。
【００２１】
このような印鑑部１は、ホルダー１０を構成している台座部１１に保持されている。台座部１１は、管状部１１ａと、この管状部１１ａの先端部寄りを仕切る座盤１１ｂとが一体成形されたもので、印面１ａが管状部１１ａの端面からわずか、例えば0.5mm程度突出するように印鑑部１が管状部１１ａ内に埋め込まれて固定されている。
【００２２】
また、台座部１１の座盤１１ｂは、二重の同心円が放射状のリブによって連結され、複数の小孔１１ｃを形成したもの、あるいは、円盤の中心に小孔１１ｃが形成され、さらにこの小孔１１ｃを取り囲む複数の小孔１１ｃが形成されたものである。このような台座部１１によって、印鑑部１の印面１ａを形成していない裏面の一部が台座部１１の小孔１１ｃから露出し、この裏面からインキを補充することができる。ただし、インキを補充しなくても、4,000回程度は押印することができるため、インキを補充しないタイプの印鑑にあっては、台座部１１の座盤１１ｂには小孔１１ｃを形成しなくてもよい。
【００２３】
このような台座部１１は、さらにカップリング部材１２と筒状のカバー１３と一体化され、ホルダー１０を構成している。カップリング部材１２は、軸状部１２ａと多角筒状部１２ｂとを連結したものであり、着脱自在とされている。
【００２４】
すなわち、軸状部１２ａは、中間に外向きフランジ１２ｃが形成され、縮径している先端側が前記台座部１１の管状部１１ａに外嵌される。また、軸状部１２ａには、印鑑部１にインキを補充するための軸孔１２ｄが形成され、この軸孔１２ｄの基端部は、インキが漏出しないように栓１４によって塞がれている。栓１４は、ゴムのように弾力性に富む材質で形成され、また、つまみやすいように段差部１４ａが形成されている。なお、印鑑部１にインキを補充しないタイプの印鑑にあっては、軸状部１２ａは中実としてもよい。
【００２５】
そして、軸状部１２ａの外向きフランジ１２ｃには、先端側が基端側よりもわずかに縮径されたテーパ部１２ｅが形成されている。このテーパ部１２ｅは、前記筒状のカバー１３によって外嵌される。すなわち、カバー１３の基端部がテーパ部１２ｅに密着することにより、カバー１３がテーパ部１２ｅから抜け外れないようにされている。
【００２６】
カバー１３の先端縁には、前記台座部１１を係止する内向きフランジ１３ａが形成されている。内向きフランジ１３ａは、例えば、台座部１１の管状部１１ａの先端側外周縁を係止し、台座部１１の座盤１１ｂが軸状部１２ａの先端縁と密着した状態で固定する。
【００２７】
そして、軸状部１２ａの基端側に雄ネジ１２ｆが形成され、多角筒状部１２ｂの内周面にこの雄ネジ１２ｆと螺合する雌ネジ１２ｇが形成されている。そして、多角筒状部１２ｂの外周は、正多角柱とされ、印鑑基材２０に形成された結合部２１に取り付けられる。
【００２８】
この結合部２１は、前記多角筒状部１２ｂが挿入されるように環状に形成されている。すなわち、多角筒状部１２ｂが正六角筒であれば、結合部２１の内周も正六角形に形成され、多角筒状部１２ｂが正八角筒であれば、結合部２１の内周も正八角形に形成される。
【００２９】
このように、カップリング部材１２が多角筒状部１２ｂとされ、この多角筒状部１２ｂが印鑑基材２０に形成された結合部２１に挿入されることにより、印面１ａに彫刻された氏などの印影の向きと印鑑基材２０に施された絵柄の向きとを一致させることができる。したがって、多角筒状部１２および結合部１２ｂは、六角形よりも八角形、さらに、八角形以上の多面体とすることにより、印影の向きと絵柄の向きとを細かく調整することができる。
【００３０】
そして、印鑑基材２０は、このような結合部２１と、この結合部２１を一端側に設けた軸状の本体部２２とから構成されている。本体部２２は、アクリル樹脂などによって形成された筒体２２ａ内に液状のエポキシ樹脂などの合成樹脂２２ｂを注入し、さらに、筒体２２ａ内と合成樹脂２２ｂとの間に絵柄を付した筒状のシート２２ｃを介挿入して形成されている。
【００３１】
筒体２２ａを形成するアクリル樹脂は、透明度が高く、絵柄をクリアに視認できるポリメタクリル酸メチル（ＰＭＭＡ）を使用することが好ましいが、その他ポリエチレンやポリプロピレン、ポリビニルクロライド、ポリアミドのような透明な合成樹脂であってもよい。また、エポキシ樹脂は、所定の硬化剤が混入されて、加熱されることによって硬化し、芯材２２ｄとなる。エポキシ樹脂は、極めて良好な寸法安定性を有しているが、芯材２２ｄとして、他の合成樹脂を使用してもよい。
【００３２】
そして、シート２２ｃは、エポキシ樹脂のような液状の合成樹脂２２ｂが浸透する和紙を使用することが好ましい。和紙は目が粗く、無数の細孔を有しているため、液状の合成樹脂２２ｂがこの細孔内に浸透することにより、絵柄の部分を除いた地の部分が半透明になるとともに、和紙独自の繊維絵柄が顕出し、印鑑基材２０の外観が極めて風合いに富んだものとなる。ただし、シート２２ｃは、和紙以外に、西洋紙や合成樹脂制のフィルムを使用することもできる。
【００３３】
このようなシート２２ｃが筒状にされ、筒体２２ａと、この筒体２２ａ内に注入された液状の合成樹脂２２ｂとの間に介挿入された後、加熱されることにより、合成樹脂２２ｂが硬化して芯材２２ｄとなるとともに、シート２２ｃと筒体２２ａとが一体化される。そして、筒体２２ａの外周が研磨など表面処理される。筒体２２ａは、円筒形に限定するものではなく、楕円形や多角形などとしてもよい。
【００３４】
なお、筒体２２ａの一端側に設けられた結合部２１は、アクリル樹脂などの合成樹脂で本体部２２と一体成形される。また、結合部２１には、本体部２２と同じ外径のキャップ３０が外嵌される。さらに、結合部２１には、本体部２２の段差部１４ａとキャップ３０の開口端とに挟まれる飾りリング３１も外嵌される。
【００３５】
そして、結合部２１内には、前記カップリング部材１２の多角筒状部１２ｂが挿入される。前記のようにホルダー１０が別途の工程により、印鑑部１を保持した台座部１１とカップリング部材１２とカバー１３とによって既に一体化されており、このカップリング部材１２の多角筒状部１２ｂを印鑑基材２０の結合部２１に挿入するだけで、印鑑が完成する。また、多角筒状部１２ｂが結合部２１に挿入されることにより、印鑑部１の印面１ａに刻設された文字の向きを印鑑基材２０の絵柄の向きと一致させることができる。
【００３６】
そして、この印鑑は、朱肉が不要のスタンプタイプであるため、利便性がよく、さらに、印鑑基材２０にオリジナリティに富んだ絵柄が付与されているため、興趣に富んだものとされる。さらに、絵柄を付したシート２２ｃは、印鑑基材２０の筒体２２ａと芯材２２ｄとの間に介挿入されているため、絵柄が剥がれ落ちることがなく、いつまでも美麗な状態の印鑑を使用することができる。
【００３７】
インキが消耗したときは、ホルダー１０の多角筒状部１２ｂを印鑑基材２０の結合部２１から抜き出し、多角筒状部１２ｂと栓１４とを軸状部１２ａから外し、軸状部１２ａの軸孔１２ｄから印鑑部１にインキを補充する。そして、前記のようにホルダー１０の多角筒状部１２ｂを印鑑基材２０の結合部２１に挿入するだけで、極めて簡単に組み立てることができる。
【００３８】
なお、本発明は、前記の実施の形態に限定することなく、特許請求の範囲に記載した技術的事項の範囲内において種々変更することができる。例えば、絵柄に向きがないときなどの場合は、カップリング部材１２は、多角筒状部１２ｂを省略し、軸状部１２ａの一端側に雄ネジ１２ｆを形成し、他方、印鑑基材２０の結合部２１に雌ネジ１２ｇを形成し、この雄ネジ１２ｆと雌ネジ１２ｇとを羅合するようにしてもよい。
【図面の簡単な説明】
【００３９】
【図１】本発明に係る印鑑の第一実施形態であって、分解した状態の正面断面図である。
【図２】本発明に係る印鑑の第一実施形態であって、組み立てた状態の正面断面図である。
【符号の説明】
【００４０】
１……印鑑部
１ａ…印面
１０…ホルダー
１１……台座部
１２……カップリング部材
１２ａ…軸状部
１２ｂ…多角筒状部
１２ｅ…テーパ部
１２ｆ…雄ネジ
１２ｇ…雌ネジ
１３……カバー
２０……印鑑基材
２１……結合部
２２……本体部
２２ａ…筒体
２２ｂ…合成樹脂
２２ｃ…シート
【図１】
2006181845.tif 000003
【図２】
2006181845.tif 000004